(57)【要約】【課題】シール部材に亀裂を生じさせない。【解決手段】雌端子金具２０は、底板２４の両側縁から延出される一対の固着片２６を備え、各固着片２６が、互いに内側に折り曲げられることにより、電線１０に嵌着されたシール部材３０の外周面に沿うように巻き付けられて、シール部材３０を電線１０とともにかしめるようになっている。固着片２６の内面の側縁には、全縁に亘って当接面２９との間で鈍角をなすシール部材保護部２７が形成されているから、シール部材３０に対する食い込みを広い範囲で阻止できる。【選択図】  図５
2004265668.tif 000002
【特許請求の範囲】
【請求項１】
基部の側縁から固着片が延出され、この固着片が内側に折り曲げられることにより、前記固着片が、電線に嵌着されたシール部材の外周面に沿うように巻き付けられて前記シール部材を前記電線とともにかしめる端子金具において、
前記固着片における前記シール部材に対する当接面の角部に、鈍角をなすシール部材保護部が形成されていることを特徴とする端子金具。
【請求項２】
前記シール部材保護部は、前記固着片の内面の側縁において略全縁に形成されていることを特徴とする請求項１記載の端子金具。
【発明の詳細な説明】
【０００１】
【発明の属する技術分野】
本発明は、シール部材を電線とともにかしめる端子金具に関する。
【０００２】
【従来の技術】
一般的に防水コネクタに用いられる端子金具は、芯線をかしめるワイヤバレル部と、シール部材をかしめるインシュレーションバレル部とを備える。インシュレーションバレル部は、底板の両側縁から延出される一対の固着片によって構成され、各固着片は、互いに内側に折り曲げられることにより、シール部材をその外周面に沿うように巻き付けてかしめるようになっている。この種の端子金具は、以下の特許文献１に開示されている。
【０００３】
【特許文献１】
特開２００２−２０３６３６公報
【０００４】
【発明が解決しようとする課題】
従来においては、各固着片の内面の側縁が、エッジ作用を有しているからシール部材の表面に食い込んでしまうことがある。そうなると、シール部材のかしめ部分に亀裂を生じさせる懸念がある。
本発明は上記のような事情に基づいて完成されたものであって、シール部材に亀裂を生じさせないことを目的とする。
【０００５】
【課題を解決するための手段】
上記の目的を達成するための手段として、請求項１の発明は、基部の側縁から固着片が延出され、この固着片が内側に折り曲げられることにより、前記固着片が、電線に嵌着されたシール部材の外周面に沿うように巻き付けられて前記シール部材を前記電線とともにかしめる端子金具において、前記固着片における前記シール部材に対する当接面の角部に、鈍角をなすシール部材保護部が形成されている構成としたところに特徴を有する。
【０００６】
請求項２の発明は、請求項１に記載のものにおいて、前記シール部材保護部は、前記固着片の内面の側縁において略全縁に形成されている構成としたところに特徴を有する。
【０００７】
【発明の作用及び効果】
＜請求項１の発明＞
固着片によりシール部材を電線とともにかしめると、シール部材が圧縮されて固着片がシール部材の表面を強く圧接することになる。しかるに、本発明においては、固着片におけるシール部材に対する当接面の角部に、鈍角をなすシール部材保護部が形成されているから、シール部材に対する食い込みを阻止でき、シール部材に亀裂が生じたりしない。
【０００８】
＜請求項２の発明＞
シール部材保護部は、固着片の内面の側縁のうち略全縁に亘って形成されているから、シール部材に対する食い込みを広い範囲で阻止できる。
【０００９】
【発明の実施の形態】
以下、本発明の一実施形態を図１乃至図７によって説明する。
本実施形態では、シール部材３０を嵌着した電線１０に雌端子金具２０を接続するものについて示す。
【００１０】
電線１０は、図１に示すように、金属細線からなる複数の芯線１１の周りが絶縁被覆１２により覆われて形成されている。この電線１０は、端末部分の絶縁被覆１２が切除されることにより、芯線１１が所定の長さ分だけ露出されており、この露出した部分に雌端子金具２０のワイヤバレル部２１が圧着接続されるようになっている。なお、以下の説明においては、電線１０の軸線方向に沿って芯線１１の露出された側を前方とし、絶縁被覆１２側を後方とする。
【００１１】
シール部材３０は、シリコンゴム等のゴム材によって筒状に成形されており、電線１０の絶縁被覆１２の外周面に弾性的に密着した状態で嵌め込まれるようになっている。シール部材３０には、前方から縮径部３１、取付部３２、リップ部３３が、夫々、同軸上に並んで設けられている。リップ部３３は、シール部材３０の後部において外側に膨出して形成されるとともに、電線１０の軸線方向に沿って複数条並んで設けられている。取付部３２は、円筒状に形成されており、その外周面には、雌端子金具２０のインシュレーションバレル部２２が固着可能とされている。そして、縮径部３１は、その外周面が前方に行くにつれ先細りとなるテーパ面となっており、インシュレーションバレル部２２の圧着にともないこの部分が反り上がっても、雌端子金具２０がコネクタハウジングのキャビティ（図示せず）内に挿入されたときに、キャビティの内壁に引っ掛からないようにしてある。また、縮径部３１の前面と絶縁被覆１２の前面とは、ほぼ面一となるように設定されている。
【００１２】
雌端子金具２０は、金属板をプレス成形することで図３に示す状態に形成されており、箱形の本体部２３の後側にワイヤバレル部２１とインシュレーションバレル部２２とが順次並んで設けられている。本体部２３、ワイヤバレル部２１、及びインシュレーションバレル部２２は、夫々、前後に長い底板２４（本発明の基部）を共有しつつ連設されている。
【００１３】
本体部２３は、前面が開口して形成されており、前方から相手側の雄端子金具（図示せず）が進入可能とされている。本体部２３内には、底板２４の前縁から突設された舌片が内側に折り返されて弾性接触片（図示せず）が形成されており、本体部２３内に進入される雄端子金具と弾性的に接触可能とされている。
ワイヤバレル部２１は、底板２４の両側縁から起立する左右一対の突片２５を備えている。各突片２５は、電線１０の長さ方向に沿って形成され、底板２４上に載せられた芯線１１を包み込むようにしてかしめるようになっている。
【００１４】
インシュレーションバレル部２２は、底板２４の両側縁から延出される左右一対の固着片２６を備えている。各固着片２６は、夫々、前後に位置ずれして配されており、図１に示す左側の固着片２６は、底板２４における前側部分から延出され、図１に示す右側の固着片２６は、底板２４における後側部分から延出されている。そして、各固着片２６の内面の側縁には、略全縁に亘ってテーパ面が形成されており、このテーパ面により本発明のシール部材保護部２７が構成されるようになっている。本実施形態のシール部材保護部２７は、各固着片２６の内面の側縁のみならず、各固着片２６の根元部分と連続する底板２４の内面の両側縁にも形成されている。一方、固着片２６の内面のうち側縁部分を除いた領域は、図７に示すように、シール部材３０の外周面に当接可能な当接面２９となっている。これにより、シール部材保護部２７は、当接面２９との間で鈍角をなしつつ、同当接面２９と連続するようになっている。なお、各固着片２０の外面の側縁のうち延出先端部は、図５に示すように、テーパ面２８となっている。
【００１５】
ここで、各固着片２６は、底板２４上に載せられたシール部材３０の取付部３２を電線１０の軸線方向と交差する向きから巻き付くようにかしめられる。すると、この固着状態では、図７に示すように、固着片２６の当接面２９が、シール部材３０の取付部３２の外周面に密着した状態で当接する一方、固着片２６のシール部材保護部２７は、シール部材３０の取付部３２の外周面と接触することなく取付部３２の外周面の外側に臨むこととなる。
【００１６】
本実施形態は以上のような構造であり、続いてその作用を説明する。まず、図３に示す状態のものを一枚の金属板から打ち抜き加工する。次に、所定形状にプレス成形するとともに、底板２４の後端縁に位置するキャリア５０との連結部分（図３の二点鎖線で示す部分）を切断することにより、雌端子金具２０をキャリア５０から切り離す。この間に、電線１０の端末部分の絶縁被覆１２を皮剥きして芯線１１を露出させるとともに、シール部材３０を被覆電線１２の端部に嵌着させておく。それから、雌端子金具２０の底板２４上に電線１０及びシール部材３０を載置する。このとき、ワイヤバレル部２１に芯線１１が、インシュレーションバレル部２２にシール部材３０の取付部３２が配されるようにする。なお、本実施形態において底板２４の後端縁は、上記したように、キャリア５０との連結および切断部分となるから、シール部材保護部２７、つまりテーパ面として形成されていない。もっとも、底板２４の後端縁は、キャリア５０を切り離した後で、面取りされてもよい。そうすると、インシュレーションバレル部２２の内面の側縁全領域に亘ってシール部材保護部２７が形成されるようになる。
【００１７】
そして、図示しない治具でもってワイヤバレル部２１及びインシュレーションバレル部２２を、夫々、芯線１１及びシール部材３０の取付部３２に巻き付けてかしめる。ワイヤバレル部２１については、各突片２５の先端部が芯線１１の中央部に食い込むようにかしめ、もって雌端子金具２０と電線１０との間の導通を取る。
【００１８】
一方、インシュレーションバレル部２２については、シール部材３０の取付部３２に対して各固着片２６が内側に倒されることにより、シール部材３０の取付部３２が各固着片２６に圧着されるようになっている。各固着片２６は、シール部材３０の取付部３２を圧縮しつつ、シール部材３０と電線１０とを共に挟持する。この状態で、シール部材３０の取付部３２の外周面には、図７に示すように、固着片２６の当接面２９が接触されており、固着片２６の内面のシール部材保護部２７は、取付部３２の外周面の外側に配されている。つまり、シール部材保護部２７は、シール部材３０の取付部３２とは非接触の位置に配されているから、固着片２６の側縁の角部がシール部材３０に食い込んだりする懸念がなく、シール部材３０に亀裂が生じる事態を防止できる。
【００１９】
その後、電線１０に接続された雌端子金具２０は、コネクタハウジングのキャビティ（図示せず）内に収容されるようになっており、シール部材３０のリップ部３３がキャビティの内周面に密着されることで、キャビティ内の防水がなされる。
【００２０】
以上説明したように本実施形態によれば、固着片２６の当接面２９がシール部材３０の外周面を強く圧接することでシール部材３０を電線１０とともにかしめる一方、当接面２９との間で鈍角をなすシール部材保護部２７が、シール部材３０の外周面と非接触の位置に配されることにより、シール部材３０に対する食い込みが阻止され、もってシール部材３０に亀裂が生じる事態を防止できる。しかも、シール部材保護部２７は、固着片２６の内面の側縁のうち略全縁に亘って形成されているから、シール部材３０に対する食い込みを広い範囲で阻止でき、シール部材３０に亀裂が生じる事態をより確実に防止できる。
【００２１】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２２】
（１）上記実施形態では、雌端子金具について示したが、本発明においては、雄端子金具についても適用することができる。
（２）シール部材保護部は、シール部材に対する当接面の角部に鈍角をなす形態であればよく、必ずしも一定角度のテーパ面である必要はない。例えば、シール部材保護部は、当接面に対して接線方向が鈍角をなす湾曲面であっても構わない。
【００２３】
（３）上記実施形態では、シール部材保護部が固着片の内面の側縁全域に亘って形成されていたが、本発明におけるシール部材保護部は、少なくとも、固着片の延出先端部における内面の側縁に形成されていればよい。固着片の延出先端部における内面の側縁は、シール部材に対する食い込み力が強くなると懸念される部位であるから、ここをシール部材と非接触とすることでシール部材の亀裂を防止するものである。
【図面の簡単な説明】
【図１】本発明の一実施形態の端子金具を示す平面図
【図２】側面図
【図３】かしめ前でキャリアと連結している状態を示す平面図
【図４】かしめ前でキャリアから切り離された状態を示す平面図
【図５】かしめ前の状態を示す背面図
【図６】かしめ後の状態を示す要部断面図
【図７】当接面とシール部材保護部との位置関係を示す要部断面図
【符号の説明】
１０…電線
２０…雌端子金具（端子金具）
２４…底板（基部）
２６…固着片
２７…シール部材保護部
２９…当接面
３０…シール部材
【図１】
2004265668.tif 000003
【図２】
2004265668.tif 000004
【図３】
2004265668.tif 000005
【図４】
2004265668.tif 000006
【図５】
2004265668.tif 000007
【図６】
2004265668.tif 000008
【図７】
2004265668.tif 000009